(57)【特許請求の範囲】
【請求項１】
長手方向、幅方向、及び厚み方向を有する吸収体と、前記吸収体を肌面側で覆うトップシートと、着衣面側で覆うバックシートとを有する吸収要素、及び前記吸収体の前記幅方向の外側に延出し前記長手方向に延在する一対のフラップ部を備える吸収性物品であって、
前記吸収体は、前記幅方向において、前記長手方向に延在する中央部と、前記中央部の両側に前記長手方向に延在する一対の両側部とに区画され、
前記吸収体は、前記中央部に吸収コア層を、また、前記一対の両側部に７０ｍｍ以上の平均繊維長を有する長繊維を含むウェブを含む柔軟部材層を有し、
前記一対のフラップ部のそれぞれは、前記吸収体の前記一対の両側部と前記厚み方向に重なる位置に固定部を有し、且つ、前記固定部より前記幅方向の外側に前記長手方向に延在する足繰りギャザー用弾性部材を有し、よって、着用時には、前記一対のフラップ部のそれぞれは、前記足繰りギャザー用弾性部材が収縮して前記吸収体の外側に起立する一対の足繰りギャザーを形成し、
前記吸収体は、前記中央部において、７０ｍｍ以上の平均繊維長を有する長繊維を含むウェブの層をさらに含み、前記柔軟部材層から高吸収性ポリマーを除いた長繊維を含むウェブの坪量が、前記中央部の長繊維を含むウェブの坪量よりも多い、吸収性物品。
【請求項２】
前記一対のフラップ部のそれぞれが、前記吸収体の前記両側部と前記厚み方向に重なる位置にさらに弾性部材を有する、請求項１に記載の吸収性物品。
【請求項３】
前記吸収体は、前記一対の両側部のそれぞれにおいて、前記柔軟部材層よりも肌面側の部分にも吸収コア層を有し、前記両側部の前記吸収コア層のそれぞれの坪量が、前記中央部の前記吸収コア層の坪量よりも少ない、請求項１又は２に記載の吸収性物品。
【請求項４】
前記吸収性物品が、前記吸収体の肌面側において、前記幅方向の両側にそれぞれ前記長手方向に延在する一対の防漏壁部材をさらに備え、前記一対の防漏壁部材のそれぞれは、前記幅方向のそれぞれ外側の端部に前記長手方向に延在する起立端を有し、前記幅方向のそれぞれ内側の端部に前記長手方向に延在する弾性部材を有し、着用時には、前記一対の防漏壁部材は、前記弾性部材が鼠蹊部に当接しかつ収縮して、前記吸収体の内側に起立する一対の立体ギャザーを形成する、請求項１〜３のいずれか一項に記載の吸収性物品。
【請求項５】
前記一対のフラップ部と前記一対の防漏壁部材とは連結されている、請求項４に記載の吸収性物品。
【請求項６】
前記吸収体の両側部における肌面側の部分には、疎水性材料が配置されている、請求項１〜５のいずれか一項に記載の吸収性物品。
【請求項７】
前記柔軟部材層の前記長繊維が、開繊されたトウの連続フィラメントからなる、請求項１〜６のいずれか一項に記載の吸収性物品。
【請求項８】
前記吸収体の前記吸収コア層及び前記柔軟部材層がコアラップで包まれている、請求項１〜７のいずれか一項に記載の吸収性物品。
【請求項９】
長手方向、幅方向、及び厚み方向を有する吸収体と、前記吸収体を肌面側で覆うトップシートと、着衣面側で覆うバックシートとを有する吸収要素、及び前記吸収体の前記幅方向の外側に延出し前記長手方向に延在する一対のフラップ部を備える吸収性物品であって、
前記吸収体は、前記幅方向において、前記長手方向に延在する中央部と、前記中央部の両側に前記長手方向に延在する一対の両側部とに区画され、
前記吸収体は、前記中央部に吸収コア層を、また、前記一対の両側部に７０ｍｍ以上の平均繊維長を有する長繊維を含むウェブを含む柔軟部材層を有し、
前記一対のフラップ部のそれぞれは、前記吸収体の一対の両側部と前記厚み方向に重なる位置に固定部を有し、且つ、前記固定部より前記幅方向の外側に前記長手方向に延在し且つ伸長状態で配置された足繰りギャザー用弾性部材を有し、
前記吸収体は、前記中央部において、７０ｍｍ以上の平均繊維長を有する長繊維を含むウェブの層をさらに含み、前記柔軟部材層から高吸収性ポリマーを除いた長繊維を含むウェブの坪量が、前記中央部の長繊維を含むウェブの坪量よりも多い、吸収性物品。
【発明の詳細な説明】
【技術分野】
【０００１】
本開示は、長繊維を含むウェブを有する吸収体を含む吸収性物品、より具体的には、長繊維を含むウェブを有する吸収体を含む使い捨ておむつに関する。
【背景技術】
【０００２】
近年、使い捨ておむつの着用時に、弾性部材の収縮力により形成される足繰りギャザー（レッグギャザー）を備えるおむつが知られている。また、着用者の股間の動きによる影響を受けやすい吸収体の両側端部に嵩高部材を備える吸収性物品が知られている。
【０００３】
例えば、特許文献１には、図２に示されるように、おむつの吸収体本体の縦方向（Ｙ方向）に沿う両側部それぞれに、フラップ部が表面シートを介して配置され、各フラップ部の横方向の外方側の端部は、裏面シートと固定されており、各フラップ部の外方側の端部と裏面シートとの間には、股下部において、レッグギャザー形成用の弾性部材が縦方向（Ｙ方向）に伸長状態で配設固定されており、着用時には、その弾性部材の収縮力により、レッグギャザーを形成することが開示されている。
【０００４】
また、特許文献２には、表面シートと裏面シートとの間に体液吸収体を備えた吸収性物品であって、前記体液吸収体の端縁より外方に位置する前記表面シートと前記裏面シートとの間に嵩高な部材が介在され、この嵩高部材がトウからなる繊維集合体で形成されていることを特徴とする吸収性物品が開示されている。
【先行技術文献】
【特許文献】
【０００５】
【特許文献１】特開２０１４−１４４０４９号公報
【特許文献２】特許第４２７９７３７号公報
【発明の概要】
【発明が解決しようとする課題】
【０００６】
特許文献１に開示されるおむつにおいて、吸収体がパルプ及び高吸収性ポリマーを含む吸収コアだけからなると、該吸収コアは柔軟性が低いので、おむつを股間部にフィットさせるために、吸収体（吸収コア）を足繰りギャザーから一定以上の距離をおいて設置して、吸収体（吸収コア）が股間部において堅い異物感を与えることを防止する必要があった。しかし、かかる構成では、吸収体の幅方向の長さを十分に確保できず、体液吸収量が不十分となるか、左右の足繰りギャザーの距離が、着用者の股間部の幅方向長さよりも長くなり、おむつのフィット性が低下するという問題があった。
また、特許文献２に開示される吸収性物品においても、足繰りギャザーについての上記の問題は解決されていない。
【０００７】
したがって、本発明の技術的課題は、上記の課題を解決して、足繰りのフィット性に優れる吸収性物品を提供することである。
【課題を解決するための手段】
【０００８】
前記課題を解決するため、本発明の吸収性物品は、
長手方向、幅方向、及び厚み方向を有する吸収体と、前記吸収体を肌面側で覆うトップシートと、着衣面側で覆うバックシートとを有する吸収要素、及び前記吸収体の前記幅方向の外側に延出し前記長手方向に延在する一対のフラップ部を備える吸収性物品であって、
前記吸収体は、前記幅方向において、前記長手方向に延在する中央部と、前記中央部の両側に前記長手方向に延在する一対の両側部とに区画され、
前記吸収体は、前記中央部に吸収コア層を、また、前記一対の両側部に７０ｍｍ以上の平均繊維長を有する長繊維及び高吸収性ポリマーを含むウェブを含む柔軟部材層を有し、
前記一対のフラップ部のそれぞれは、前記吸収体の一対の両側部と前記厚み方向に重なる位置に前記吸収要素の着衣面側に対する固定部を有し、且つ、前記固定部より前記幅方向外側に前記長手方向に延在する足繰りギャザー用弾性部材を有し、よって、着用時には、前記一対のフラップ部のそれぞれは、前記足繰りギャザー用弾性部材が収縮して前記吸収体の外側に起立する一対の足繰りギャザーを形成することを特徴とする。
【発明の効果】
【０００９】
本発明の吸収性物品は、足繰りのフィット性に優れる。
【図面の簡単な説明】
【００１０】
【図１】図１は、本発明の第１の実施形態に従う使い捨ておむつ１の展開図である。
【図２】図２は、図１に示した使い捨ておむつの吸収体の平面図である。
【図３】図３は、図１に示した使い捨ておむつをＩＩＩ−ＩＩＩ’線で切断した概略横断面図である。
【図４】図４は、図１に示した使い捨ておむつの着用時における形状を示す、ＩＩＩ−ＩＩＩ’線で切断した概略横断面図である。
【図５】図５は、本発明の第２の実施形態に従う使い捨ておむつ１０の展開図である。
【図６】図６は、図５に示した使い捨ておむつ１０のＶＩ−ＶＩ’線で切断した概略横断面図である。
【図７】図７は、図５に示した使い捨ておむつの着用時における形状をＶＩ−ＶＩ’線で切断した概略横断面図である。
【図８】図８は、着用前における使い捨ておむつ１０の足繰りギャザー及び立体ギャザーが起立している状態の模式図である。
【図９】図９は、変形例に係る吸収体７０の幅方向断面の概略図である。
【発明を実施するための形態】
【００１１】
本発明は、以下の態様に関する。
［態様１］
長手方向、幅方向、及び厚み方向を有する吸収体と、前記吸収体を肌面側で覆うトップシートと、着衣面側で覆うバックシートとを有する吸収要素、及び前記吸収体の前記幅方向の外側に延出し前記長手方向に延在する一対のフラップ部を備える吸収性物品であって、
前記吸収体は、前記幅方向において、前記長手方向に延在する中央部と、前記中央部の両側に前記長手方向に延在する一対の両側部とに区画され、
前記吸収体は、前記中央部に吸収コア層を、また、前記一対の両側部に７０ｍｍ以上の平均繊維長を有する長繊維を含むウェブを含む柔軟部材層を有し、
前記一対のフラップ部のそれぞれは、前記吸収体の前記一対の両側部と前記厚み方向に重なる位置に固定部を有し、且つ、前記固定部より前記幅方向の外側に前記長手方向に延在する足繰りギャザー用弾性部材を有し、よって、着用時には、前記一対のフラップ部のそれぞれは、前記足繰りギャザー用弾性部材が収縮して前記吸収体の外側に起立する一対の足繰りギャザーを形成することを特徴とする吸収性物品。
態様１によれば、フラップ部と足繰りギャザー用弾性部材とで形成される足繰りギャザーを備える吸収性物品において、吸収体がパルプ及び高吸収性ポリマーを含む吸収コア層だけからなると、該吸収コア層は柔軟性が低いので、おむつを股間部にフィットさせるために、吸収体（吸収コア層）を足繰りギャザーから一定以上の距離をおいて設置して、吸収体（吸収コア層）が股間部において堅い異物感を与えることを防止する必要があった。しかし、吸収体の幅方向両側部に柔軟部材層を追加し、かつ、その吸収体の両側部に足繰りギャザーを形成するフラップ部の接合部を配置すると、柔軟部材層は柔軟性を有しているので、足繰りギャザー用弾性部材が吸収体の柔軟部材層の部分を吸収コア層から立ち上げるように作用し、足繰りギャザーもこれに追従して立ち上がり易いとともに、吸収体の幅方向端部が足繰りギャザーに近接して配置されているので、吸収性物品の足繰りにおけるフィット性が向上し、また横漏れ防止性能も向上する。しかも、吸収コア層と柔軟部材層との境界部における剛性差によって、その境界線が柔軟部材層の立ち上がり起点となり、吸収体が排泄物等を受容するのに適した形状になるとともに、吸収体に柔軟部材層を追加して足繰りギャザーに近づけられる分だけ、吸収体の幅をより大きくできるので、吸収性能と足繰りギャザーの漏れ防止機能とを向上させることもできる。
【００１２】
［態様２］
前記一対のフラップ部のそれぞれが、前記吸収体の前記両側部と前記厚み方向に重なる位置にさらに弾性部材を有する、態様１に記載の吸収性物品。
態様２によれば、一対のフラップ部のそれぞれが、吸収体の両側部と吸収体の厚み方向に重なる位置にさらに弾性部材を有するので、該弾性部材の収縮力が吸収体の両側部に存在する柔軟部材層を立ち上げるように作用し、足繰りギャザーにおける柔軟部材層の立ち上り性を補強する。
【００１３】
［態様３］
前記吸収体は、前記中央部に７０ｍｍ以上の平均繊維長を有する長繊維を含むウェブの層をさらに含み、前記柔軟部材層から高吸収性ポリマーを除いた長繊維を含むウェブの坪量が、前記中央部の長繊維を含むウェブの坪量よりも多い、態様１又は２に記載の吸収性物品。
態様３によれば、吸収性物品が、吸収体の両側部と中央部に長繊維を含むウェブを含む層を備えるので、吸収性物品を着用する際に、吸収体の両側部から中央部に向かう応力を受けたとき、吸収体の両側部だけでなく中央部においても応力を吸収して、応力が吸収体中央部分に存在する吸収コア層に波及して生ずる吸収コア層の崩壊を抑制できる。したがって、吸収体の吸収量を確保し、また吸収性物品の装着感をより一層向上させることができる。また、吸収体の両側部のウェブのそれぞれの坪量を、中央部のウェブの坪量よりも多くすることにより、中央部の中央部ウェブ層のウェブの坪量が少なくても、両側部と中央部のウェブを含む層とが協働して、吸収体の幅方向における柔軟性を担保できる。また、中央部のウェブの坪量を、吸収体の両側部のウェブのそれぞれの坪量よりも少なくすることで、中央部のウェブと両側部のウェブとで坪量に差がない場合と比べて、吸収体の両側部よりも吸収体の中央部の厚み方向の薄型化を実現し易く、吸収性物品の装着感を向上させることができる。
【００１４】
［態様４］
前記吸収体は、前記一対の両側部のそれぞれにおいて、前記柔軟部材層よりも肌面側の部分に吸収コア層を有し、前記両側部の前記吸収コア層のそれぞれの坪量が、前記中央部の吸収コア層の坪量よりも少ない、態様１〜３のいずれか一項に記載の吸収性物品。
態様４によれば、吸収体が、一対の両側部のそれぞれにおいて、柔軟部材層よりも肌面側の部分に吸収コア層を有することにより、吸収性物品の肌面側の幅方向両側部における吸水力を補強するので、吸収性物品の肌面側のリウェットを減少させ、装着時のかぶれをさらに抑制できる。また、柔軟部材層に含まれる高吸収性ポリマーが肌面側に流出することを抑制できるので、吸収性物品の肌面において高吸収性ポリマーの凹凸感を着用者が感取する不快感を軽減させることができる。また、吸収体の両側部の吸収コア層のそれぞれの坪量が、中央部の吸収コア層の坪量よりも少ないことにより、吸収体の両側部から中央部に向かう応力を受けたとき、両側部の吸収コア層と中央部の吸収コア層とで坪量に差がない場合と比べて、吸収体の両側部に存在する柔軟部材層の変形を阻害しにくいので、吸収体の両側部に存在する柔軟部材層による応力を吸収する機能を確保し易いと共に、一対のフラップ部も該柔軟部材層に追従して変形し、起立し易い。
【００１５】
［態様５］
前記吸収性物品が、前記吸収体の肌面側において、前記幅方向の両側にそれぞれ前記長手方向に延在する一対の防漏壁部材をさらに備え、前記一対の防漏壁部材のそれぞれは、前記幅方向のそれぞれ外側の端部に前記長手方向に延在する起立端を有し、前記幅方向のそれぞれ内側の端部に前記長手方向に延在する弾性部材を有し、着用時には、前記一対の防漏壁部材は、前記弾性部材が鼠蹊部に当接しかつ収縮して、前記吸収体の内側に起立する一対の立体ギャザーを形成する、態様１〜４のいずれか一項に記載の吸収性物品。
態様５によれば、吸収性物品が上記構成を有することにより、着用時には、一対の防漏壁部材のそれぞれが、その弾性部材が鼠蹊部に当接して吸収体の内側に起立する一対の立体ギャザーを形成するので、該立体ギャザーにより、吸収体から漏出した体液が吸収性物品から漏れ出るのを抑制することができる。また、防漏壁部材の起立端が、吸収体の両側部に接合されているので、立体ギャザーが、吸収体の両側部に存在する柔軟部材層を立ち上げるように作用し、足繰りギャザーによる柔軟部材層の立ち上りの作用を補強する。
【００１６】
［態様６］
前記一対のフラップ部と前記一対の防漏壁部材とは連結されている、態様５に記載の吸収性物品。
態様６によれば、一対のフラップ部と一対の防漏壁部材とが連結されているので、着用時に吸収体が変形すると、一対のフラップ部と防漏壁とが連動して吸収体の両側部に存在する柔軟部材層に追従して変形し、両部材がより一層起立し易い。
【００１７】
［態様７］
前記吸収体の両側部における肌面側の部分には、疎水性材料が配置されている、態様１〜６のいずれか一項に記載の吸収性物品。
態様７によれば、吸収体の両側部における肌面側の部分には、疎水性材料が配置されているので、吸収体の両側部から体液が漏出したとしても、疎水性材料により、漏出した体液が吸収性物品の肌面の方に漏れ出るのを抑制することができる。
【００１８】
［態様８］
前記柔軟部材層の前記長繊維が、開繊されたトウの連続フィラメントからなる、態様１〜７のいずれか一項に記載の吸収性物品。
態様８によれば、柔軟部材層が開繊されたトウの連続フィラメントからなることにより、その長いフィラメントが絡んだウェブは柔軟であり、且つ、応力を吸収する能力が高いため、柔軟性とフィット性とが高まり、吸収性物品の装着時の快適性が向上する。また、柔軟部材層の開繊されたトウの連続フィラメントが、応力がなくなると変形から回復する能力が高いので、吸収体に柔軟性を持たせる材料として優れている。また、吸収性物品が圧縮された状態でパッケージに包装されても、パッケージから取り出した際に柔軟部材層の嵩が容易且つ瞬時に回復する効果がある。また、柔軟部材層が開繊されたトウの連続フィラメントからなるので、柔軟部材層に到達した体液等の液体が、フィラメントの配向する方向に沿って移動し、柔軟部材層においてより広範囲に亘って存在する高吸収性ポリマーと接触する機会が増えるので、吸収体の液体吸収量を増加させることができる。
【００１９】
［態様９］
前記吸収体の前記吸収コア層及び前記柔軟部材層がコアラップで包まれている、態様１〜８のいずれか一項に記載の吸収性物品。
態様９によれば、吸収体の吸収コア層及柔軟部材層がコアラップで包まれて、吸収コア層と柔軟部材層が物理的に一体にされているので、吸収体として一体的に働くことができ、柔軟部材層を追加した効果についても万全に享受することができる。
【００２０】
［態様１０］
長手方向、幅方向、及び厚み方向を有する吸収体と、前記吸収体を肌面側で覆うトップシートと、着衣面側で覆うバックシートとを有する吸収要素、及び前記吸収体の前記幅方向の外側に延出し前記長手方向に延在する一対のフラップ部を備える吸収性物品であって、
前記吸収体は、前記幅方向において、前記長手方向に延在する中央部と、前記中央部の両側に前記長手方向に延在する一対の両側部とに区画され、
前記吸収体は、前記中央部に吸収コア層を、また、前記一対の両側部に７０ｍｍ以上の平均繊維長を有する長繊維を含むウェブを含む柔軟部材層を有し、
前記一対のフラップ部のそれぞれは、前記吸収体の一対の両側部と前記厚み方向に重なる位置に固定部を有し、且つ、前記固定部より前記幅方向の外側に前記長手方向に延在し且つ伸長状態で配置された足繰りギャザー用弾性部材を有することを特徴とする吸収性物品。
態様１０によれば、フラップ部と足繰りギャザー用弾性部材とで形成される足繰りギャザーを備える吸収性物品において、吸収体が吸収コア層だけからなると、吸収コア層は柔軟性が低いので、おむつを股間部にフィットさせるために、吸収体（吸収コア層）を足繰りギャザーから一定以上の距離をおいて設置して、吸収体（吸収コア層）が股間部において堅い異物感を与えることを防止する必要があった。しかし、吸収体の幅方向両側部に柔軟部材層を追加し、かつ、その吸収体の両側部に足繰りギャザーを形成するフラップ部の接合部を配置すると、柔軟部材層は柔軟性を有しているので、足繰りギャザー用弾性部材が吸収体の柔軟部材層の部分を吸収コア層から立ち上げるように作用し、足繰りギャザーもこれに追従して立ち上がり易いとともに、吸収体の幅方向端部が足繰りギャザーに近接して配置されているので、吸収性物品の足繰りにおけるフィット性が向上し、また横漏れ防止性能も向上する。しかも、吸収コア層と柔軟部材層との境界部における剛性差によって、その境界線が柔軟部材層の立ち上がり起点となり、吸収体が排泄物等を受容するのに適した形状になるとともに、吸収体に柔軟部材層を追加して足繰りギャザーに近づけられる分だけ、吸収体の幅をより大きくできるので、吸収性能と足繰りギャザーの漏れ防止機能とを向上させることもできる。
【００２１】
以下、本発明の実施態様の吸収性物品を、図面を参照して詳細に説明する。
なお、本明細書においては、特に断りのない限り、「展開した状態で水平面上に置いた対象物（例えば、吸収性物品、吸収体等）を、その水平面に対して垂直な方向の上方側から対象物の厚み方向に見ること」を、単に「平面視」という。
【００２２】
そして、本明細書において、「長手方向Ｌ」は、「平面視における対象物の長手方向」を指し、「幅方向Ｗ」は、「平面視における対象物の幅方向（短手方向）」を指し、「厚み方向Ｔ」は、「展開した状態で水平面上に置いた対象物の厚み方向」を指し、これらの長手方向Ｌ、幅方向Ｗ及び厚み方向Ｔは、それぞれ互いに直交する関係にある。
【００２３】
さらに、本明細書では、「縦長の対象物（例えば、吸収性物品等）の幅方向Ｗにおいて、長手方向Ｌに延びる幅方向中央軸線ＣＬに相対的に近い側」を「幅方向における内方側」といい、「前記縦長の対象物の幅方向Ｗにおいて、前記幅方向中央軸線ＣＬから相対的に遠い側」を「幅方向における外方側」という。また、前記縦長の対象物の長手方向Ｌにおいて、幅方向Ｗに延びる長手方向中央軸線を、長手方向中央軸線ＣＷという。
【００２４】
また、本明細書では、「吸収性物品の厚み方向Ｔにおいて、同一シートの対向する２つの面において、着用者の肌面に相対的に近い側の面」を「肌側面」といい、「吸収性物品の厚み方向Ｔにおいて、同一シートの対向する２つの面において、着用者の肌面に相対的に遠い側の面」を「着衣側面」という。
【００２５】
［第１の実施形態］
図１は、本発明の第１の実施形態に従う使い捨ておむつ１の展開図である。図２は、第１の実施形態に従う、使い捨ておむつ１が備える吸収体７の平面図である。
図３は、図１に示した使い捨ておむつ１をＩＩＩ−ＩＩＩ’線に沿って切断して見た概略断面図である。
【００２６】
本発明の実施形態に従う使い捨ておむつ１は、図１に示す展開図において、長手方向Ｌ、幅方向Ｗ及び厚み方向Ｔを有している。
【００２７】
使い捨ておむつ１は、図１の紙面の表面側に液透過性のトップシート３を有し、図１の紙面の裏面に図１では見えないが液不透過性のバックシート５を有し、これらのトップシート３及びバックシート５との間に配設された吸収体７を有する。
また、本実施形態において、これらトップシート３と、バックシート５と、吸収体７とをまとめて吸収要素２と称することとする。
【００２８】
さらに、使い捨ておむつ１には、腹側に腹側胴周り部１５、背側に背側胴周り部１７がそれぞれ設けられ、おむつ１が着用者に装着されると、腹側胴周り１５と背側胴周り部とが着用者の胴周りを包囲する。
【００２９】
さらに、使い捨ておむつ１は、疎水性や撥水性を有するフラップ部９０、９０を有している。フラップ部９０、９０は、吸収体７の幅方向Ｗの外側に延出し、吸収体７の長手方向Ｌに延在している。フラップ部９０、９０は、それぞれに使い捨ておむつ１の長手方向に延在する足繰りギャザー用弾性部材１３が接合されて、着用時に一対の足繰りギャザーを形成する。
【００３０】
図１において、図の下方の長さ方向Ｌの一端側が着用者の腹を覆う腹側、図の上方の長さ方向Ｌの他端側が着用者の背中（臀部）を覆う背側である。
【００３１】
（トップシート及びバックシート）
トップシート３は、吸収体７を肌面側で覆い、着用者からの尿等の液状の排泄物を素早く吸収あるいは透過させて吸収体７に向けて移行させるもので、吸収体７における着用者の肌と対向する面側に配設されている。
【００３２】
この実施の形態においては、前記トップシート３は、使い捨ておむつ１の長さ方向Ｌに沿う方向に長尺状に形成されている。
【００３３】
トップシートは、例えば不織布、織布、液透過孔が形成された合成樹脂フィルム、網目を有するネット状シート等により形成されるが、このうち、不織布が好ましい。また、本実施形態に従うトップシート３は、不織布に疎水化処理を施した疎水性材料を用いている。このようにトップシート３に疎水性材料を用いると、該材料が後述する吸収体７の両側部Ｓ、Ｓにおける肌面側の部分に配置されるので、吸収体の両側部から体液が漏出したとしても、疎水性材料により、漏出した体液が使い捨ておむつ１の肌面の方に漏れ出るのを抑制することができる。
【００３４】
なお、本明細書において、疎水性材料とは、以下の要領で行う耐水圧試験において所定の指標を満たすものである。
耐水圧は、ＪＩＳ  Ｌ１０９２Ａ法：２００９に準拠して測定する。また、耐水圧の試験は、温度２３℃（±２℃）、相対湿度５０％（±５％）の環境下で行う。
耐水度試験装置（テスター産業(株)製、ＦＩ−８０５）を使用して耐水圧を測定する。また、水準装置は、１００ｍｍ／ｍｉｎの速さで上昇させ、試験を行ない、サンプル数はｎ＝１０測定の平均値を耐水圧とする。その他は、ＪＩＳの試験方法に準拠する。
本試験の結果３０ｍｍＨ２Ｏ以上の耐水圧にあるものを疎水性であると定義する。
【００３５】
バックシート５は、吸収体７を着衣面側で覆い、排出された排泄物の透過を防止して外部に漏れ出るのを防止するものである。
このバックシート５は、吸収体７を間に挟んだ状態でトップシート３に接合されている。接合手段としては例えばホットメルト型接着剤による接着、ヒートエンボス処理による接合、超音波エンボス処理による接合等、任意の手段を用いることができる。
【００３６】
なお、バックシートとして、例えば、防水処理を施した不織布、ポリエチレンやポリプロピレン等の合成樹脂フィルム、不織布と合成樹脂フィルムとの複合シート（例えばスパンボンド、スパンレース等の不織布に通気性の合成樹脂フィルムが接合された複合フィルム）、耐水性の高いメルトブローン不織布を強度の強いスパンボンド不織布で挟んだスパンボンド／メルトブローン／スパンボンド（ＳＭＳ）不織布等を用いることができる。
【００３７】
（腹側に腹側胴周り部と背側に背側胴周り部）
腹側胴回り部１５と背側胴回り部１７とは、吸収要素２の長手方向Ｌに対して略直交する方向（幅方向Ｗ）に長尺に延在しており、それぞれ２枚の不織布が吸収要素２の長手方向端部及び後述する外装シート９の長手方向端部を挟み込むように配置して形成されている。また、腹側胴回り部１５と背側胴回り部１７のそれぞれを形成する２枚の不織布の間には、これらが延在する方向に沿うように胴回り弾性部材（図示せず）が伸長状態で配設されており、着用時には胴周りギャザーが形成される。
【００３８】
この使い捨ておむつ１の背側胴周り部１７にはおむつ１の幅方向に延出するテープファスナ１１が設けられており、腹側胴回り部１５には該テープファスナ１１を止着するための止着部材（図示せず）が着衣側面に設けられている。おむつ１は、着用時にテープファスナ１１を止着部材に止着することにより着用者に装着される。この使い捨ておむつ１はテープタイプの使い捨ておむつと言われる。
【００３９】
しかし、本発明にかかる吸収性物品は、上記テープタイプの使い捨ておむつに限られず、着用前からパンツ型の形状を有する、いわゆるパンツタイプの使い捨ておむつであってもよい。
【００４０】
（吸収体）
吸収体７は、使い捨ておむつ１の長さ方向Ｌに沿う方向に長尺状の形状、この実施形態では矩形を有するが、図１に示すように、全体として、使い捨ておむつ１の背側よりも腹側の方に偏寄した状態で配設されている。
【００４１】
図２の平面図及び図３の横断面図に示すように、吸収体７は、幅方向Ｗにおいて、中央部Ｍとその両側の一対の両側部Ｓ、Ｓとに区画され、中央部Ｍと一対の両側部Ｓ、Ｓはいずれも長手方向Ｌに延在する区画である。
【００４２】
本実施形態において、吸収体７は、長手方向Ｌにおいて３７０ｍｍ、また幅方向Ｗにおいて、中央部Ｍは７０ｍｍ、両側部Ｓ、Ｓはそれぞれ２５ｍｍずつの寸法を有するが、本発明に係る吸収性物品が備える吸収体の寸法は、吸収体としての性能を発揮できる限り適宜変更可能である。
【００４３】
図３に示すように、本実施形態において、使い捨ておむつ１の吸収体７は、中央部Ｍにおいて吸収コア層７１を備える。吸収コア層７１は、図２に示すように、平面視にて中央部Ｍの長手方向全域に亘って存在する。
【００４４】
また、図３に示すように、使い捨ておむつ１の吸収体７は、本実施形態において、一対の両側部Ｓ、Ｓのそれぞれにおいて、柔軟部材層７３を備える。柔軟部材層７３は、図２に示すように、平面視にて両側部Ｓ、Ｓの吸収体の長手方向の全域に亘って存在する。
【００４５】
本実施形態において、吸収体７の中央部Ｍ（吸収コア層７１）と両側部Ｓ、Ｓ（柔軟部材層７３）は、コアラップ７５によりその外周面を被覆されている。このように、中央部Ｍと両側部Ｓ、Ｓとが、一体としてコアラップ７５に包まれているので、少なくとも中央部に存在する吸収コア層７１と、両側部に存在する柔軟部材層７３とが一つの塊として吸収要素となり、中央部と両側部との間が分断し難く、吸収性能が阻害されにくい。
【００４６】
コアラップは、液透過性及び吸収体保持性を有する限り特に限定されないが、ＳＭＳ不織布、ティッシュ等で形成されることが好ましい。
【００４７】
（中央部の吸収コア層）
本実施形態において、吸収体の中央部Ｍには、吸収体の本体として吸収コア層７１を有する。吸収コア層の長さ、幅、及び厚みは、柔軟部材層を有していない従来の吸収体と基本的に同様であることができる。しかし、吸収体に柔軟部材層を有しているので、その分を考慮して吸収コア層の幅をいくらか小さくしてもよい。また、後述する長繊維ウェブ層を設ける場合には、その分を考慮して吸収コア層の厚みをいくらか小さくしてもよい。しかし、吸収コア層の長さ、幅、及び厚みは、これらに限定されるものではなく、従来より大きくすることを排除するものではない。
【００４８】
本実施形態において、吸収コア層７１は、液状の排泄物を吸収、保持する吸水性繊維と、高吸収性ポリマーとを含んでいる。
【００４９】
吸収コア層を形成する吸水性繊維としては、親水性表面を有する繊維であれば、特に制限なく用いることができる。親水性繊維としては、たとえば、クラフトパルプ等の木材パルプや木綿パルプ、ワラパルプ等の非木材パルプ等の天然セルロース繊維；レーヨン等の再生セルロース繊維；ポリビニルアルコール繊維、ポリアクリロニトリル繊維等の親水性合成繊維；ポリエチレンテレフタレート繊維、ポリエチレン繊維、ポリプロピレン繊維、ポリエステル繊維等の合成繊維を界面活性剤により親水化処理したもの等が挙げられる。これらの親水性繊維の１種を単独で又は２種以上を混合して用いることができる。
【００５０】
また、高吸収性ポリマーとしては、従来用いられている各種のものを用いることができる。例えば、ポリアクリル酸ソーダ、（アクリル酸−ビニルアルコール）共重合体、ポリアクリル酸ソーダ架橋体、（デンプン−アクリル酸）グラフト重合体、（イソブチレン−無水マレイン酸）共重合体及びそのケン化物、ポリアクリル酸カリウム、並びにポリアクリル酸セシウム等が挙げられる。これらの高吸収性ポリマーの１種を単独で又は２種以上を混合して用いることができる。
【００５１】
吸収性コア層における親水性繊維と高吸収性ポリマーとの含有質量比は、親水性繊維：高吸収性ポリマー＝１／９〜９／１が好ましく、３／７〜７／３が更に好ましい。
【００５２】
吸収コア層７１の坪量（平均値）は、１００〜８００ｇ／ｍ２、特に２００〜６００ｇ／ｍ２であることが好ましいが、これに限定されない。吸収コア層７１の坪量が少ないと吸水性、保水性が不十分となり、吸収コア層の坪量が多すぎても吸水性、保水性は過剰になるだけであり、コスト高になり、また剛性が高くなり装着感が劣るようになる。
【００５３】
吸収コア層の密度（平均値）は、好ましくは０．０１〜０．２ｇ／ｃｍ３、更に好ましくは０．０５〜０．１５ｇ／ｃｍ３であるが、これに限定されない。排泄物を十分に保持固定するのに適している観点から好ましい。吸収コア層の密度は、吸収コア層の体積と質量を測定して求められるが、吸収コア層は比較的に均一であるので、吸収コア層の一部を切り出して、その体積と質量を測定して求めてもよい。
吸収コア層の厚みは、好ましくは１〜１０ｍｍ、更に好ましくは２〜４ｍｍである。
【００５４】
なお、本明細書において、別段の記載がない限り、吸収体、又は吸収体を構成する部材（吸収コア層、後述する柔軟部材層等）の厚みの測定方法は、以下の通りとする。
厚み測定装置（株式会社大栄科学精器製作所製  ＦＳ−６０ＤＳ）を用い、標準状態（温度２３±２℃、相対湿度５０±５％）の下、測定面１８ｍｍ（直径）、測定圧２．５ｇ／ｃｍ２の条件で、該部材の異なる５つの部位を加圧し、各部位における加圧１０秒後の厚みを測定し、５つの測定値の平均値を該部材の厚みとする。
【００５５】
また、本明細書において、吸収体を構成する部材（吸収コア層、後述する柔軟部材層等）の密度の算出方法は、以下の通りとする。
対象部材について、上記厚みの測定方法に従って厚みを算出し、加圧した５つの異なる部位において、平面視にて２０ｍｍ×２０ｍｍの大きさのサンプルを５つ準備する。各部位について、それぞれ体積を算出する。続いて、各サンプルの質量を測定し、その体積で割り、５つの算出値の平均値を該部材の密度とする。
【００５６】
吸収コア層の幅（平均値）は、５０〜１５０ｍｍ、特に７０〜１００ｍｍであることが好ましいが、これに限定されない。本発明では、吸収体が柔軟部材層を含むが、吸収コア層の幅は従来どおりであっても、フィット性、装着感を損なうことがなく、かえってフィット性、装着感が改良される効果がある。しかし、吸収コア層の幅は、柔軟部材層の幅との関係で、適宜変更することが可能である。なお、本発明では吸収コア層を含む吸収体は矩形ではなく、砂時計型なども可能である。これらの場合、吸収コア層の上記幅は股間部の最小幅を意味する。
【００５７】
吸収コア層の幅（平均値）は、絶対値も重要であるが、吸収コア層、さらには吸収体と足繰りギャザーの弾性体との間の距離が重要である。従来は、吸収コア層と足繰りギャザーの弾性体との間の距離として、一定値以上、典型的には、２５ｍｍ以上が必要とされていた。本発明では、吸収体に柔軟部材層を追加しているが、吸収コア層と足繰りギャザーの弾性体との間の距離として前記一定値、たとえば、２５ｍｍ程度を維持することさえ可能であるが、これに限定されない。吸収体が柔軟部材層を含むので、吸収コア層と足繰りギャザーの弾性体との間の距離を大きくしても、吸収体としては足繰りギャザーの弾性体との間の距離を小さくして、フィット性、吸水・保水性を維持、改良することが可能である。
【００５８】
（柔軟部材層）
本実施形態において、吸収体の一対の両側部Ｓ，Ｓには、吸収体の中央部Ｍの吸収コア層７１と隣接して柔軟部材層７３を有する。
【００５９】
柔軟部材層７３は、７０ｍｍ以上の平均繊維長を有する長繊維と高吸収性ポリマー（ＳＡＰ）を含むウェブを含む。
【００６０】
なお、長繊維の平均繊維長は、ＪＩＳ  Ｌ  １０１５に規定のＣ法に従って測定するものとする。
【００６１】
柔軟部材層が、７０ｍｍ以上の平均繊維長を有する長繊維を含むウェブを含むと、その長い繊維を含むウェブは柔軟性があり、且つ、応力を吸収する能力があるため、柔軟部材層として使用するのに適しており、柔軟部材層ひいては吸収体の柔軟性とフィット性とが高まり、使い捨ておむつ１の装着時の快適性が向上する。また、柔軟部材層は特に高吸収性ポリマーを含むことで吸収性、保水性を有する。
【００６２】
ここで、本明細書において、長繊維とは、平均繊維長が７０ｍｍ以上の繊維であればよく、８０ｍｍ以上、１００ｍｍ以上であることが好ましい。連続フィラメントの束が一方向に配向したトウ、さらにはトウを開繊して得られるトウの連続フィラメントであることが好ましい。連続フィラメントは吸収体（柔軟部材層）の長手方向Ｌの全長にわたって存在することが好ましい。
【００６３】
柔軟部材層が開繊されたトウの連続フィラメントからなることにより、その長い連続フィラメントが絡んだウェブは柔軟性に優れており、且つ、応力を吸収する能力が高いため、柔軟性とフィット性とが高まり、使い捨ておむつの装着時の快適性が向上する。また、柔軟部材層の開繊されたトウの連続フィラメントは、応力がなくなると変形から回復する能力が高いので、柔軟性を有する材料として優れている。また、使い捨ておむつが圧縮された状態でパッケージに包装されても、パッケージから取り出した際に柔軟部材層の嵩が容易且つ瞬時に回復する効果がある。また、柔軟部材層が開繊されたトウの連続フィラメントからなると、柔軟部材層に到達した体液等の液体が、フィラメントの配向する方向（長手方向Ｌ）に沿って移動し、柔軟部材層７３においてより広範囲に亘って存在する高吸収性ポリマーと接触する機会が増えるので、吸収体７の液体吸収量を増加させることができる。
【００６４】
トウの連続フィラメントとは、トウ（繊維束）を構成している連続フィラメントをいう。トウの連続フィラメントとしては、親水性を有するもの、あるいは親水性を有さないものは親水性処理をしたものが好ましく、例えば、多糖類又はその誘導体（セルロース、セルロースエステル、キチン、キトサンなど）、合成高分子（ポリエチレン、ポリプロピレン、ポリアミド、ポリエステル、ポリラクタアミド、ポリビニルアセテートなど）などを用いることができるが、特に、セルロースエステル及びセルロースが好ましい。
【００６５】
セルロースとしては、綿、リンター、木材パルプなど植物体由来のセルロースやバクテリアセルロースなどが使用でき、レーヨンなどの再生セルロースであってもよく、再生セルロースは紡糸された繊維であってもよい。セルロースの形状と大きさは、実質的に無限長とみなし得る連続繊維から長径が数ミリ〜数センチ（例えば、１ｍｍ〜５ｃｍ）程度のもの、粒径が数ミクロン（例えば、１〜１００μｍ）程度の微粉末状のものまで、様々な大きさから選択できる。セルロースは、叩解パルプなどのように、フィブリル化していてもよい。
【００６６】
セルロースエステルとしては、例えば、セルロースアセテート、セルロースブチレート、セルロースプロピオネートなどの有機酸エステル；セルロースアセテートプロピオネート、セルロースアセテートブチレート、セルロースアセテートフタレート、硝酸酢酸セルロースなどの混酸エステル；ポリカプロラクトングラフト化セルロースエステルなどのセルロースエステル誘導体などを用いることができる。これらのセルロースエステルは、単独で、又は二種類以上混合して使用することができる。セルロースエステルの粘度平均重合度は、例えば、５０〜９００、好ましくは２００〜８００程度である。セルロースエステルの平均置換度は、例えば、１．５〜３．０（例えば、２〜３）程度である。
【００６７】
セルロースエステルの平均重合度は、例えば１０〜１０００、好ましくは５０〜９００、さらに好ましくは２００〜８００程度とすることができ、セルロースエステルの平均置換度は、例えば１〜３程度、好ましくは１〜２．１５、さらに好ましくは１．１〜２．０程度とすることができる。セルロースエステルの平均置換度は、生分解性を高める等の観点から選択することができる。
【００６８】
セルロースエステルとしては、有機酸エステル（例えば、炭素数２〜４程度の有機酸とのエステル）、特にセルロースアセテートが好適である。セルロールアセテートは、空隙率を高くすることができ、トウが存在する領域を低密度にすることに適するためである。
このように、柔軟部材層７３におけるトウが存在する領域を低密度にすることにより、一時的な貯水空間が形成できるため、吸収体７の吸収速度の向上と吸収量の増大に資する。
【００６９】
また、セルロースアセテートの酢化度は、４３〜６２％程度である場合が多いが、特に３０〜５０％程度であると生分解性にも優れるため好ましい。
【００７０】
トウの連続フィラメントの繊度は、例えば、１〜１６デニール、好ましくは１〜１０デニール、さらに好ましくは２〜８デニール程度とすることができる。トウの連続フィラメントは、非捲縮繊維であってもよいが、捲縮繊維であるのが好ましい。捲縮繊維の捲縮度は、例えば、１インチ（２．５４ｃｍ）当たり５〜７５個、好ましくは１０〜５０個、さらに好ましくは１５〜５０個とすることができる。また、均一に捲縮した捲縮繊維を用いる場合が多い。捲縮繊維を用いると、嵩高で軽量な吸収材を製造することができるとともに、繊維間の絡み合いにより一体性の高いトウを容易に製造できる。トウ構成繊維の断面形状は、特に限定されず、例えば、円形、楕円形、異形（例えば、Ｙ字状、Ｘ字状、Ｉ字状、Ｒ字状など）や中空状などのいずれであってもよい。トウの連続フィラメントは、例えば、３，０００〜１，０００，０００本、好ましくは１０，０００〜１００，０００本程度の単繊維を束ねることにより形成されたトウ（繊維束）の形で使用することができる。
【００７１】
トウの連続フィラメントは、トウを原材料として、公知の方法により開繊して得ることができ、その際、必要に応じて、所望のサイズ、嵩となるように帯状に開繊することができる。トウの開繊幅は任意であり、例えば、幅１００〜２０００ｍｍ、好ましくは１５０〜１５００ｍｍ程度とすることができる。トウを開繊すると、高吸収性ポリマーの移動がより容易になるため好ましい。また、トウの開繊度合いを調整することにより、柔軟部材層の空隙率を調整することができる。
【００７２】
トウの開繊方法としては、例えば、トウを複数の開繊ロールに掛渡し、トウの進行にともなって次第にトウの幅を拡大して開繊する方法、トウの緊張（伸長）と弛緩（収縮）とを繰返して開繊する方法、圧縮エアーを用いて拡幅・開繊する方法などを用いることができる。
【００７３】
本実施形態において、柔軟部材層は高吸収性ポリマー（ＳＡＰ）を含む。柔軟部材層が高吸収性ポリマー（ＳＡＰ）を含むことで、柔軟部材層も吸水性を有するので、長繊維ウェブだけの場合と比べて、吸水性能を向上することができる。
なお、本発明に係る吸収性物品が備える柔軟性部材は、上記構成に限定されず、高吸収性ポリマーを含まない構成としてもよい。
【００７４】
高吸収性ポリマー（ＳＡＰ）については、中央部吸収コア層について記載したものと同様であることができる。
【００７５】
柔軟部材層における長繊維と高吸収性ポリマーとの含有質量比は、長繊維：高吸収性ポリマー＝１／９〜９／１が好ましく、３／７〜７／３が更に好ましい。
【００７６】
柔軟部材層における高吸収性ポリマー（ＳＡＰ）の坪量（平均値）の範囲は、５０〜２００ｇ／ｍ２であることが好ましく、より好ましくは、８０〜１５０ｇ／ｍ２である。高吸収性ポリマー（ＳＡＰ）の坪量の下限値は吸水性の観点から、上限値は長繊維ウェブの柔軟性を保持する観点から選択される。
柔軟部材層における高吸収性ポリマーの坪量は、製造時には容易に設定できるが、製品になった吸収体において測定する場合には、柔軟部材層の寸法を測定してから、柔軟部材層から高吸収性ポリマーだけを注意深く取出し、取り出した高吸収性ポリマーの質量を測定することで、計算できる。
【００７７】
柔軟部材層の密度（平均値）は、柔軟部材層の体積と質量を測定して求めることができるが、柔軟部材層は比較的均一であるから、柔軟部材層の一部分を切り出して、その体積と質量を測定して求めてもよい。
【００７８】
柔軟部材層（または柔軟部材層を構成する長繊維ウェブ）の柔軟性の指標としては、下記の圧縮変形試験の変化率を用いることができ、柔軟部材層は、該圧縮変形試験に従った変化率が、１０％以上、さらには１５％以上、又は２０％以上であることが好ましい。吸収コア層に対して柔軟性を有する上で適した変化率の観点から好ましい値である。なお、吸収コアの圧縮変形試験における変化率はたとえば８％程度である。
【００７９】
ここで、圧縮変形試験は以下の方法で行う。
（１）吸収体又は吸収体における対象部材（柔軟部材層、吸収コア層、等）について、前述の厚みの測定方法と同様、厚み測定装置（株式会社大栄科学精器製作所製  ＦＳ−６０ＤＳ）を用いて、標準状態（温度２３±２℃、相対湿度５０±５％）の下、測定面１８ｍｍ（直径）、測定圧２．５ｇ／ｃｍ２の条件で、該部材の異なる５つの部位を加圧し、各部位における加圧１０秒後の厚みを測定する。そして、５つの測定値の平均値を該部材の低荷重厚みＷＬとする。
（２）測定装置にバネを装着し、測定圧が１０ｇ／ｃｍ２となるように調整し、前記異なる５つの部位について、同様に厚みを測定する。そして、５つの測定値の平均値を該部材の高荷重厚みＷＨとする。
（３）低荷重及び高荷重のそれぞれにおける厚みの変化率を下記の計算式（１）により算出する。
（ＷＨ−ＷＬ）／ＷＬ×１００            （１）
【００８０】
柔軟部材層（長繊維と高吸収性ポリマーを含む）の坪量（平均値）の範囲は、１００〜４００ｇ／ｍ２、より好ましくは、１６０〜３００ｇ／ｍ２であることが好ましい。柔軟部材層から高吸収性ポリマーを除いた長繊維を含むウェブの坪量（平均値）の範囲は、５０〜２００ｇ／ｍ２、より好ましくは、８０〜１５０ｇ／ｍ２であることが好ましい。これらの数値範囲の下限値は、柔軟部材層の柔軟性を確保する観点から、上限値は吸収性物品に適用される際に嵩高になり過ぎて装着感を損ねないようにする観点から、それぞれ決定される。
【００８１】
柔軟部材層の幅は、（中央部吸収コア層の幅）：（両側部の柔軟部材層の合計幅）の比で、３０：７０〜９５：５であることが好ましく、５０：５０〜７０：３０であることがより好ましいが、中央部吸収コア層、柔軟部材層、側部吸収コア層などの構成によっても変化するので、これに限定されない。吸収体全体の吸収性能と柔軟部材層によるフィット性などのバランスを考慮して決められる。
【００８２】
柔軟部材層の幅は、絶対値も重要であるが、それと足繰りギャザーの弾性体との間の距離が重要である。従来は、吸収コア層と足繰りギャザーの弾性体との間の距離として、一定値以上、典型的には２５ｍｍ以上、さらには３０ｍｍ以上が必要とされていた。本発明では、吸収体が吸収コア層と柔軟部材層を含むが、柔軟部材層と足繰りギャザーの弾性体との間の距離として上記一定値未満、たとえば、２５ｍｍ未満、さらには２０ｍｍ以下、１８ｍｍ以下、１５ｍｍ以下、１３ｍｍ以下、１０ｍｍ以下にすることができる。吸収体（柔軟部材層）と足繰りギャザーの弾性体との間の距離を従来より小さくできるので、フィット性、吸水・保水性が改良される。
【００８３】
（フラップ部）
図１及び３に示すように、本実施形態において、吸収要素２の着衣側面には、外装シート９が、吸収要素２よりも長尺且つ幅広に配設されており、バックシート５との間に固定部９１を有する。外装シート９において、固定部９１よりも幅方向Ｗの外側は、吸収体７の幅方向Ｗの外側に延出するように、自由に移動可能な非固定端部となっており、それぞれフラップ部９０、９０を形成している。フラップ部９０、９０のそれぞれの幅方向端縁は折り畳まれており、その間に足繰りギャザー用弾性部材１３が、おむつ１の長手方向Ｌに延在するように配設されている。
【００８４】
フラップ部としては、例えば、防水処理を施した不織布、ポリエチレンやポリプロピレン等の合成樹脂フィルム、不織布と合成樹脂フィルムとの複合シート（例えばスパンボンド、スパンレース等の不織布に通気性の合成樹脂フィルムが接合された複合フィルム）、耐水性の高いメルトブローン不織布を強度の強いスパンボンド不織布で挟んだＳＭＳ不織布等を用いることができる。
【００８５】
本実施形態において、フラップ部９０、９０はバックシート５の着衣面側にあり、固定部９１は吸収体の一対の両側部Ｓ、Ｓと厚み方向Ｔに重なる位置に設けられている。
【００８６】
また、本実施形態において、図１及び図３に示すように、足繰りギャザー用弾性部材１３が、フラップ部９０、９０において、固定部９１より幅方向Ｗ外側に長手方向Ｌに延在するように複数本ずつ伸長状態で配設固定されている。
【００８７】
そして、着用時には、フラップ部９０、９０は、足繰り部となり、各足繰りギャザー用弾性部材１３の収縮力により大腿部周り方向（フラップ部の長手方向）に収縮し、かつ、各足繰りギャザー用弾性部材１３の収縮力によりフラップ部９０、９０の外側端が大腿部周りに向かって引かれるので、フラップ部９０、９０は吸収体７の幅方向Ｗ外側において吸収体から起立する一対の足繰りギャザーを形成する。
なお、足繰りギャザー用弾性部材の配設位置や本数は、上記に限定されず、後述の柔軟部材層の立ち上がり作用を阻害しない限りそれぞれ適宜変更可能である。
【００８８】
図４に、図１に示したおむつの着用時におけるＩＩＩ−ＩＩＩ’線での概略断面図を示す。図４において、フラップ部９０、９０の各足繰りギャザー用弾性部材１３は足繰りを成しており、図に示すおむつの左右にある大腿部に纏わりつき、吸収体から起立する（吸収体が足繰り弾性部材１３から落ち込む）ことで、フラップ部９０、９０は足繰りギャザーを形成している。
【００８９】
使い捨ておむつ１は、着用時に、着用者から幅方向中央部に対して応力を受ける。その際、吸収体７の中央部Ｍは吸収コア層からなり、比較的剛性が高いので、変形しにくい。一方、吸収体７の両側部Ｓ、Ｓは柔軟部材層７３からなり、比較的剛性が低いので、肌面側に立ち上がるように変形し易い。また、フラップ部９０、９０のそれぞれが足繰りギャザーを形成し、これも肌面側に起立しつつ、着用者の足繰りにフィットするように変形する。
【００９０】
上述のように、吸収体の幅方向両側部に柔軟部材層を追加し、かつ、その吸収体の両側部に足繰りギャザーを形成するフラップ部の接合部を配置すると、柔軟部材層は柔軟性を有しているので、足繰り用弾性部材が吸収体の柔軟部材層の部分を吸収コア層から立ち上げるように作用し、足繰りギャザーもこれに追従して立ち上がり易いとともに、吸収体の幅方向端部が足繰りギャザーに近接して配置されているので、吸収性物品の足繰りにおけるフィット性および横漏れ防止性能が向上する。しかも、吸収コア層と柔軟部材層との境界部における剛性差によって、その境界線が柔軟部材層の立ち上がり起点となり、吸収体が排泄物等を受容するのに適した形状になるとともに、吸収体に柔軟部材層を追加して足繰りギャザーに近づけられる分だけ、吸収体の幅をより大きくできるので、吸収性能と足繰りギャザーの漏れ防止機能とを向上させることもできる。
【００９１】
さらに、本実施形態において、図１及び図３に示すように、フラップ部９０、９０のそれぞれは、幅方向Ｗにおいて、固定部９１とフラップ部９０の幅方向端縁との間であって、且つ吸収体７の両側部Ｓ、Ｓと厚み方向Ｔに重なる位置に、足繰りギャザー用補助弾性部材１３１を備える。
この構成により、該補助弾性部材の収縮力が吸収体の両側部に存在する柔軟部材層を立ち上げるように作用し、足繰りギャザーにおける柔軟部材層の立ち上り性を補強する。また別の補助弾性部材を吸収体内の柔軟部材層と厚み方向に重なる位置に配置してもよい。この構成により、吸収性のある柔軟部材層を弾性部材により収縮させることでより一層体に沿うように立ち上げることが可能となる。
【００９２】
吸収体と足繰りギャザーの弾性体との間の距離に関して、従来は、吸収コア層と足繰りギャザーの弾性体との間の距離として、一般的に、２５ｍｍ以上、さらには３０ｍｍ以上が必要とされていた。本発明では、吸収体が吸収コア層とその両側に柔軟部材層を含むが、吸収体（柔軟部材層）の端部と足繰りギャザーの弾性体との間の距離として、２５ｍｍ未満、たとえば、２０ｍｍ以下、１８ｍｍ以下、１５ｍｍ以下、さらに１３ｍｍ以下、１０ｍｍ以下にすることができる。本発明では、吸収体（柔軟部材層）と足繰りギャザーの弾性体との間の距離を従来より小さくできるので、特に股間部におけるフィット性が改良され、さらに吸水・保水性（横漏れ防止性）についても改良が可能である。
【００９３】
上記において、吸収体（柔軟部材層）と足繰りギャザーの弾性体との間の距離は、股間部の距離をいい、さらには吸収体（柔軟部材層）と足繰りギャザーの弾性体との間の最短の距離をもって、その距離とすることが適当である。たとえば、吸収体の股間部において上記の距離を測定して、長さ方向１０ｍｍについての平均値が最小になるときの値をもって、上記の最短距離とすることができる。このとき、弾性体の位置は、長尺状の弾性体の軸線ではなく、弾性体の吸収体側に近い端縁をもって弾性体の位置とする。
【００９４】
［第２の実施形態］
図５は、本発明の第２の実施形態に従う使い捨ておむつ１０の展開図である。図６は、図５に示したＶＩ−ＶＩ’線における断面の概略図である。図７は、着用時における図５に示したＶＩ−ＶＩ’線における断面の概略図である。
【００９５】
なお、本発明の第２の実施形態に係る使い捨ておむつ１０は、防漏壁部材１９等により形成される立体ギャザーの構造以外は、基本的に前記第１の実施形態と同様であり、同じ作用効果を奏するため、同様の符号を付して詳細な説明は省略する。
【００９６】
図５及び図６に示すように、本実施形態において、使い捨ておむつ１０は、吸収体７の長手方向Ｌに延在し、吸収要素２の両側部分を覆うように配置された一対の防漏壁部材１９、１９を有する。
【００９７】
一対の防漏壁部材１９、１９のそれぞれには、幅方向Ｗ内側の端縁に沿うように、着用者の鼠蹊部に当接する弾性部材１９１が、長手方向Ｌに延在するように２本ずつ伸長状態で配設固定されている。また、一対の防漏壁部材１９、１９のそれぞれの幅方向Ｗ外側の端縁は、フラップ部９０の幅方向外側の端縁よりも内側であって、吸収要素２の外側に位置し、フラップ部９０に接着剤により固定されて、吸収体７の長手方向Ｌに延在する起立端１９３を画成している。
【００９８】
図７に示すように、使い捨ておむつ１０の着用時においては、防漏壁部材１９、１９のそれぞれは、弾性部材１９１が収縮することにより、吸収体７の幅方向内側に起立する一対の立体ギャザーを形成する。（図６〜７参照）
【００９９】
使い捨ておむつ１０が、立体ギャザーを有することにより、吸収体７又は吸収要素２から体液が漏出しても、立体ギャザーにより体液を堰き止めて使い捨ておむつ１０から漏れ出るのを抑制することができる。
【０１００】
（変形例１）
さらに、第２の実施形態の変形例１として、防漏壁部材の起立端が、吸収体の肌面側であって吸収体の一対の両側部と厚み方向Ｔに重なる位置に配置されていてもよい。
かかる構成により、防漏壁の起立端が、吸収体の両側部と厚み方向に重なる位置に配置されているので、立体ギャザーが、起立時に吸収体の両側部に存在する柔軟部材層を立ち上げるように作用し、足繰りギャザーによる柔軟部材層の立ち上りの作用を補強する。したがって、図８に示すように、立体ギャザーを形成する防漏壁が、平面方向に延在する吸収体中央部Ｍに対して、略垂直となるように起立することができる。
【０１０１】
（変形例２）
さらに、変形例２として、一対のフラップ部と一対の防漏壁部材とが、同一の部材でできており、それぞれ連結されていてもよい。かかる構成により、着用時に吸収体が変形すると、一対のフラップ部と防漏壁部材とが連動して吸収体の両側部に存在する柔軟部材層に追従して変形し、両部材がより一層起立し易い。
【０１０２】
（変形例３）
図９は、変形例に係る吸収体７０の幅方向断面の概略図である。上述の実施形態においては、図３等に示すように、吸収体７が、中央部Ｍにおける吸収コア層７１と両側部Ｓ、Ｓにおける柔軟部材層７３を含む構成となっていたが、本発明に係る吸収性物品が備える吸収体はこの構成に限定されない。
【０１０３】
変形例３に係る吸収体７０は、図９に示すように、中央部Ｍにおいて中央部吸収コア層７１と、長繊維を含むウェブの層（中央部ウェブ層ともいう）７７とを備え、断面視にて中央部Ｍは、中央部吸収コア層７１と中央部ウェブ層７７との２層構造となっており、中央部吸収コア層７１は、中央部ウェブ層７７よりも肌面側、且つ、中央部ウェブ層７７と隣接するように配設されている。また、吸収体７０は、一対の両側部Ｓ、Ｓのそれぞれにおいて、側部吸収コア層７９と、柔軟部材層７３とを備え、断面視にて両側部Ｓ、Ｓのそれぞれは、側部吸収コア層７９と柔軟部材層７３との２層構造となっており、側部吸収コア層７９は、柔軟部材層７３よりも肌面側、且つ、柔軟部材層７３と隣接するように配設されている。
【０１０４】
本変形例において、中央部吸収コア層７１と、側部吸収コア層７９とは、吸収体７０の幅方向Ｗにおいて、連続的に存在している。このような構成により、着用者が吸収性物品を着用している際に、吸収体の両側部Ｓ、Ｓから中央部Ｍに向かう応力を受けた場合、両側部Ｓ、Ｓと中央部Ｍとの境界部分が折れ起点となり、吸収体が、境界部分に沿って変形されても、側部吸収コア層は、中央部吸収コア層と一体的な形状を保ちつつ変形し、吸収性物品の液体の横漏れや装着時のかぶれを抑制できる。
【０１０５】
（側部吸収コア層）
変形例３において、吸収体の一対の両側部Ｓ，Ｓのそれぞれには、柔軟部材層７３の肌面側に、柔軟部材層７３と厚み方向で重なる側部吸収コア層７９を有する。
【０１０６】
本変形例において、側部吸収コア層７９は、中央部吸収層コア７１と同様に、液状の排泄物を吸収、保持する吸水性繊維と、高吸収性ポリマーとを含んでいる。
【０１０７】
側部吸収コア層７９における吸水性繊維と高吸収性ポリマーについては、中央部吸収コア層７１において記載したのと同様であることができる。
【０１０８】
側部吸収コア層７９の坪（平均値）量は、３０〜４００ｇ／ｍ２、特に５０〜２００ｇ／ｍ２であることが好ましいが、これに限定されない。側部吸収コア層７９の坪量が少ないと吸水性、保水性が不十分となり、側部吸収コア層の坪量が多すぎても吸水性、保水性は過剰になるだけであり、コスト高になり、また剛性が高くなり装着感が劣るようになる。
【０１０９】
側部吸収コア層の密度（平均値）は、好ましくは０．０１〜０．２ｇ／ｃｍ３、更に好ましくは０．０５〜０．１５ｇ／ｃｍ３であるが、これに限定されない。排泄物を十分に保持固定するのに適している観点から好ましい。
【０１１０】
側部吸収コア層７９の厚みは、好ましくは０．５〜５ｍｍ、更に好ましくは０．５〜２ｍｍである。
【０１１１】
側部吸収コア層７９の坪量は、中央部吸収コア層７１の坪量よりも少ないことが好ましい。吸収体の吸収性能は主に中央部吸収コア層７１によって担われるものであり、両側部は柔軟部材層が柔軟性を有することが重要であるから、側部吸収コア層７９は柔軟部材層の柔軟性を損なわない範囲で、柔軟部材層の吸水性能を補強し、吸収性物品のリウェットを減少させることが目的であるからである。
【０１１２】
なお、本変形例において、幅方向Ｗにおける柔軟部材層７３と側部吸収コア層７９の長さは同一であるが、本発明にかかる吸収性物品が備える吸収体では、柔軟部材層と側部吸収コア層の何れか一方が、他方よりも長くてもよい。
【０１１３】
このように、吸収体が、一対の両側部のそれぞれにおいて、柔軟部材層よりも肌面側の部分に吸収コア層を有することにより、吸収性物品の肌面側の幅方向両側部における吸水力を補強するので、吸収性物品の肌面側のリウェットを減少させ、装着時のかぶれをさらに抑制できる。また、柔軟部材層に含まれる高吸収性ポリマーが肌面側に流出することを抑制できるので、吸収性物品の肌面において高吸収性ポリマーの凹凸感を着用者が感取する不快感を軽減させることができる。また、吸収体の両側部の吸収コア層のそれぞれの坪量が、中央部の吸収コア層の坪量よりも少ないことにより、吸収体の両側部から中央部に向かう応力を受けたとき、両側部の吸収コア層と中央部の吸収コア層とで坪量に差がない場合と比べて、吸収体の両側部に存在する柔軟部材層の変形を阻害しにくいので、吸収体の両側部に存在する柔軟部材層による応力を吸収する機能を確保し易いと共に、後述のように、一対のフラップ部も該柔軟部材層に追従して変形し、起立し易い。
【０１１４】
側部吸収コア層７９の坪量と中央部吸収コア層７１の坪量との差は、１０ｇ／ｍ２以上、特に３０ｇ／ｍ２以上であることが好ましいが、本発明はこれに限定されない。
【０１１５】
本変形例において、中央部吸収コア層７１と、側部吸収コア層７９とは、吸収体７の幅方向Ｗにおいて、連続的に存在している。このような構成により、着用者が使い捨ておむつを着用している際に、吸収体７の両側部Ｓ、Ｓから中央部Ｍに向かう応力を受けた場合、両側部Ｓ、Ｓと中央部Ｍとの境界部分が折れ起点となり、吸収体７が、境界部分に沿って変形されても、側部吸収コア層７９は、中央部吸収コア層７１と一体的な形状を保ちつつ変形し、使い捨ておむつの液体の横漏れや装着時のかぶれを抑制できる。
【０１１６】
（中央部ウェブ層）
上述したように、変形例３では、図９に示すように、吸収体の中央部Ｍは吸収コア層７１と中央部ウェブ層７７の２層構造であり、中央部ウェブ層７７は、中央部吸収コア層７１の着衣面側に設けられ、中央部吸収コア層７１に接合されている。中央部ウェブ層は、特に着衣面側に設けられている場合、高吸収性ポリマーを含まないでもよいが、含むことを排除するものではない。
【０１１７】
このような中央部ウェブ層７７が存在すると、吸収体の両側部から中央部に向かう応力を受けたとき、吸収体の両側部に存在する長繊維ウェブを含む柔軟部材層が応力を吸収するだけでなく、中央部においても中央部ウェブ層が応力を吸収するので、中央部ウェブ層がない場合よりも、応力が吸収体中央部分に存在する吸収コア層に波及して生ずる吸収コア層の崩壊を抑制できる。また、中央部ウェブ層は、一体的な形状の保持能力に優れているので、中央部ウェブ層が吸収コア層に接着されていると、吸収コア層が液体を吸収して膨潤した後においても、中央部ウェブ層が吸収体を支持してその崩壊を抑制できるので、吸収性物品の装着感を向上させることができる。
【０１１８】
中央部ウェブ層（高吸収性ポリマーを含まない）の密度（平均値）の範囲は、５〜５０ｇ／ｍ３、より好ましくは、２０〜４０ｇ／ｍ３であることが好ましい。中央部ウェブ層やそれを構成するウェブの密度は、吸収コア層と比べて柔軟性が適した値になるように選択される。
中央部ウェブ層の密度の測定は、柔軟部材層の密度の測定と同じ方法によって測定可能である。
【０１１９】
中央部ウェブ層（高吸収性ポリマーを含まない）の坪量（平均値）の範囲は、５〜５０ｇ／ｍ２、より好ましくは、２０〜４０ｇ／ｍ２であることが好ましい。中央部ウェブ層が高吸収性ポリマーを含むとき、中央部ウェブ層の坪量（平均値）の範囲は、１０〜１００ｇ／ｍ２、より好ましくは、３０〜７０ｇ／ｍ２であることが好ましい。これらの数値範囲の下限値は、中央部ウェブ層の柔軟性を確保する観点から、上限値は吸収性物品に適用される際に嵩高になり過ぎて装着感を損ねないようにする観点から、それぞれ決定される。
【０１２０】
（中央部と両側部の相対関係）
柔軟部材層から高吸収性ポリマーを除いた長繊維を含むウェブの坪量が、中央部ウェブ層（高吸収性ポリマーを含まない）の長繊維を含むウェブの坪量よりも多いことは、１つの好ましい態様である。吸収体の吸収性能は主に中央部吸収コア層７１によって担われるものであり、両側部は柔軟部材層が柔軟性を有することが重要であるから、柔軟部材層は柔軟性を確保するに十分な坪量とする一方、中央部ウェブ層は中央部吸収コア層の吸収性能を損なわない範囲で柔軟部材層の長繊維ウェブと協同して、吸収体の全体としての柔軟性を向上させることができるからである。
【０１２１】
柔軟部材層から高吸収性ポリマーを除いた長繊維を含むウェブの坪量（平均値）と、中央部ウェブ層（高吸収性ポリマーを含まない）の長繊維を含むウェブの坪量の差は、２０ｇ／ｍ２以上、より好ましくは、３０ｇ／ｍ２以上であることが好ましい。また、柔軟部材層（長繊維と高吸収性ポリマーを含む）の坪量（平均値）と、中央部ウェブ層が高吸収性ポリマーを含むときの中央部ウェブ層の坪量の差は、５０ｇ／ｍ２以上、より好ましくは、８０ｇ／ｍ２以上であることが好ましい。これらの数値範囲は、本発明の吸収体の柔軟性と吸水性能を確保する観点から選択される。
【０１２２】
限定されるわけではないが、１つの好ましい態様では、吸収体の両側部のそれぞれの厚みが中央部の厚みよりも厚い。吸収体の両側部と中央部との境界部分において厚み差があると、着用者が吸収性物品を着用している際に、吸収体の両側部から中央部に向かう応力を受けた場合、当該境界部分が折れ起点となり、吸収体が、境界部分に沿って、略舟型、すなわち、着用者の排泄物等を受容するのに適する形状に変形し易いので、排泄物等が着用者の肌に接触する機会をより一層抑制できる。
【０１２３】
この場合、吸収体の両側部のそれぞれの厚みと中央部の厚みとの差は、０．５ｍｍ以上、さらには１ｍｍ以上であることが好ましい。ここで、吸収体の両側部及び中央部の厚みは、前記厚みの測定方法に従って測定できる。吸収体の中央部の厚みは比較的均一であり、厚みの測定は容易であり、その平均値をもって中央部の厚みを代表させることができるが、吸収体の両側部の厚みは幅方向Ｗにおいて均一ではないので、幅方向Ｗにおいて最大の厚みを測定し、その最大厚みの長手方向の平均値をもって吸収体の両側部の厚みを代表させることが適当である。
【０１２４】
限定されるわけではないが、吸収体の両側部のそれぞれ（柔軟部材層＋吸収コア層）の密度が中央部（吸収コア層＋中央部ウェブ層）の密度よりも小さいことが好ましい。吸収体の両側部が柔軟性を有するためには、柔軟性を有する必要があり、中央部より密度が小さいことが望ましいからである。
【０１２５】
吸収体の両側部のそれぞれの密度と中央部の密度との差は、０．０３ｇ／ｃｍ３以上、さらには０．０５ｇ／ｃｍ３以上であることが好ましい。吸収体の両側部及び中央部の密度（平均値）は、両側部及び中央部をそれぞれ一体物とみなしてそれぞれの体積及び質量から求めてもよいし、両側部の柔軟部材層及び吸収コア層のそれぞれの密度を求めてその加重平均によって両側部の密度（平均値）とし、中央部の吸収コア層及び中央部ウェブ層のそれぞれの密度を求めてその加重平均によって中央部の密度（平均値）としてもよい。
【０１２６】
なお、本発明に係る吸収性物品が備える吸収体の構成は、上記の実施形態及び変形例の態様に限定されない。さらに別の変形例においては、例えば、吸収体は、中央部Ｍにおいて、中央部吸収コア層と中央部ウェブ層との２層構造をとり、中央部吸収コア層は、中央部ウェブ層よりも着衣面側に且つ中央部ウェブ層と隣接するように配設されていてもよい。
【０１２７】
また、吸収体は、中央部Ｍにおいて、中央部吸収コア層と２層の中央部ウェブ層との３層構造をとり、中央部吸収コア層は、中央部ウェブ層よりも肌面側及び着衣面側に、且つ中央部ウェブ層に挟持されるように配設されていてもよい。
【０１２８】
さらに、吸収体は、両側部Ｓ、Ｓのそれぞれにおいて、側部吸収コア層と柔軟部材層との２層構造をとり、側部吸収コア層は、柔軟部材層よりも着衣面側、且つ柔軟部材層と隣接するように配設されていてもよい。
【０１２９】
また、吸収体は、両側部Ｓ、Ｓのそれぞれにおいて、側部吸収コア層と柔軟部材層との３層構造をとり、側部吸収コア層は、柔軟部材層よりも肌面側及び着衣面側、且つ柔軟部材層に挟持されるように配設されていてもよい。
【０１３０】
また、吸収体は、両側部Ｓ、Ｓのそれぞれにおいて、同一の構造を有していなくてもよい。例えば、両側部Ｓ、Ｓのうち一方においては、側部吸収コア層と柔軟部材層との２層構造をとり、側部吸収コア層は、柔軟部材層よりも着衣面側、且つ柔軟部材層と隣接するように配設され、両側部Ｓ、Ｓのうち他方においては、側部吸収コア層と柔軟部材層との３層構造をとり、側部吸収コア層は、柔軟部材層よりも肌面側及び着衣面側、且つ柔軟部材層に挟持されるように配設されていてもよい。
【０１３１】
また、吸収体は、両側部Ｓ、Ｓにおいて、側部吸収コア層と柔軟部材層は、いずれも、それらの寸法（大きさ、厚みなど）、組成（長繊維と高吸収性ポリマーの種類や割合など）、坪量などが、両側で同一でなく、異なっていてもよい。
【０１３２】
本発明の吸収性物品は、テープ型やパンツ型の使い捨ておむつ以外に、衛生ナプキン、失禁パッドなどのその他の吸収性物品にも適用できる。
【符号の説明】
【０１３３】
１、１０    使い捨ておむつ
２    吸収要素
３    トップシート
５    バックシート
７、７０    吸収体
１３    足繰りギャザー用弾性部材
７１    中央部吸収コア層
７３    柔軟部材層
７７    中央部ウェブ層
７９    側部吸収コア層
９０    フラップ部
９１    固定部
１９    防漏壁部材
１９１    鼠蹊部当接用の弾性部材
１９３    起立端
【図１】
0006381515.tif 000002
【図２】
0006381515.tif 000003
【図３】
0006381515.tif 000004
【図４】
0006381515.tif 000005
【図５】
0006381515.tif 000006
【図６】
0006381515.tif 000007
【図７】
0006381515.tif 000008
【図８】
0006381515.tif 000009
【図９】
0006381515.tif 000010